(57)【要約】【課題】ユーザの負担を増加させることなく、画像全体の色を実物の色の見えに近づけるとともに特に色を一致させたい箇所を実物の色に近づけることができる画像補正システム、画像補正方法、及プログラムを提供することである。【解決手段】撮像対象物が撮像された撮像画像を示す撮像対象画像情報を取得する撮像画像取得部と、色を示す情報を測定する測定器により検出される前記撮像対象物における特定の推奨箇所の色を示す特定箇所色情報を取得する特定箇所色情報取得部と、前記特定箇所色情報に基づいて、前記撮像画像を補正する撮像画像補正部と、前記撮像画像補正部により補正された前記撮像画像を示す補正撮像画像情報を出力する補正撮像画像出力部と、を備えることを特徴とする画像補正システムである。【選択図】図３
2019045680.tif 000002
【特許請求の範囲】
【請求項１】
撮像対象物が撮像された撮像画像を示す撮像対象画像情報を取得する撮像画像取得部と、
色を示す色情報を測定する測定器により検出される前記撮像対象物の特定の箇所における色を示す特定箇所色情報を取得する特定箇所色情報取得部と、
前記特定箇所色情報に基づいて、前記撮像画像を補正する撮像画像補正部と、
前記撮像画像補正部により補正された前記撮像画像を示す補正撮像画像情報を出力する補正撮像画像出力部と、
を備えることを特徴とする画像補正システム。
【請求項２】
前記撮像対象画像情報に基づいて、前記撮像対象物における前記色情報を取得する箇所である推奨箇所を特定し、特定した推奨箇所における位置を示す推奨箇所位置情報を出力する推奨箇所位置特定部をさらに備える、
ことを特徴とする請求項１に記載の画像補正システム。
【請求項３】
前記特定箇所色情報取得部は、前記撮像対象物における前記推奨箇所位置情報に対応する箇所の前記特定箇所色情報を、取得する、
ことを特徴とする請求項２に記載の画像補正システム。
【請求項４】
前記特定箇所色情報は、前記撮像対象物の特定の箇所における三刺激値、又は分光放射輝度である
ことを特徴とする請求項１から請求項３のいずれか一項に記載の画像補正システム。
【請求項５】
前記補正撮像画像情報に基づいて、色の基準となる基準色を特定する基準色特定部と、
前記基準色を含む基準画像を示す基準画像情報を出力する基準画像出力部と、
色を示す色情報を測定する測定器により検出される、表示部に表示された前記基準画像の色情報である基準画像色情報を取得する基準画像色情報取得部と、
前記基準画像色情報に基づいて、前記補正撮像画像情報に基づく補正撮像画像を補正する表示画像補正部と、
前記表示画像補正部により補正された補正表示画像情報を出力する補正表示画像出力部と、
をさらに備えることを特徴とする請求項１から請求項４のいずれか一項に記載の画像補正システム。
【請求項６】
前記基準画像色情報は、前記表示部に表示される前記基準画像の色における三刺激値、又は分光放射輝度である
ことを特徴とする請求項５に記載の画像補正システム。
【請求項７】
前記撮像画像取得部、前記特定箇所色情報取得部、前記撮像画像補正部、及び前記補正撮像画像出力部を有する画像補正サーバと、
前記撮像対象画像情報及び前記特定箇所色情報を前記画像補正サーバに出力するとともに前記補正撮像画像情報を前記画像補正サーバから取得する制御部を有し、前記画像補正サーバとネットワークを介して通信可能に接続されたユーザ端末装置と、
を備えることを特徴とする請求項１から請求項６のいずれか一項に記載の画像補正システム。
【請求項８】
前記撮像画像取得部、前記推奨箇所位置特定部、前記特定箇所色情報取得部、前記撮像画像補正部、及び前記補正撮像画像出力部を有する画像補正サーバと、
前記撮像対象画像情報を前記画像補正サーバに出力するとともに、前記推奨箇所位置情報を前記画像補正サーバから取得し、取得した前記推奨箇所位置情報に対応する箇所の前記特定箇所色情報を前記画像補正サーバに出力し、前記補正撮像画像情報を前記画像補正サーバから取得する制御部を有し、前記画像補正サーバとネットワークを介して通信可能に接続されたユーザ端末装置と、
を備えることを特徴とする請求項２又は請求項３に記載の画像補正システム。
【請求項９】
前記撮像画像取得部、前記特定箇所色情報取得部、前記撮像画像補正部、及び前記補正撮像画像出力部を有する画像補正サーバと、
前記推奨箇所位置特定部と、前記撮像対象画像情報、前記推奨箇所位置特定部が特定した前記推奨箇所位置情報及び前記推奨箇所位置情報に対応する箇所の前記特定箇所色情報を前記画像補正サーバに出力するとともに前記補正撮像画像情報を前記画像補正サーバから取得する制御部とを有し、前記画像補正サーバとネットワークを介して通信可能に接続されたユーザ端末装置と、
を備えることを特徴とする請求項２又は請求項３に記載の画像補正システム。
【請求項１０】
前記基準色特定部、前記基準画像出力部、前記基準画像色情報取得部、前記表示画像補正部、及び前記補正表示画像出力部、を有する画像補正サーバと、
前記基準画像情報及び前記補正表示画像情報を前記画像補正サーバから取得するとともに、前記基準画像色情報を前記画像補正サーバに出力する制御部を有し、前記画像補正サーバとネットワークを介して通信可能に接続されたユーザ端末と、
を備えることを特徴とする請求項５又は請求項６に記載の画像補正システム。
【請求項１１】
前記表示画像補正部、前記基準画像色情報取得部、及び前記補正表示画像出力部、を有する画像補正サーバと、
前記基準色特定部と、基準画像情報及び前記基準画像色情報を前記画像補正サーバに出力するとともに前記補正表示画像情報を前記画像補正サーバから取得する制御部を有し、前記画像補正サーバとネットワークを介して通信可能に接続されたユーザ端末装置と、
を備えることを特徴とする請求項５又は請求項６に記載の画像補正システム。
【請求項１２】
前記撮像画像取得部、前記特定箇所色情報取得部、前記撮像画像補正部、前記補正撮像画像出力部、前記基準色特定部、前記基準画像色情報取得部、前記表示画像補正部、及び前記補正表示画像出力部、を有する画像補正サーバと、
前記撮像対象画像情報、前記特定箇所色情報を前記画像補正サーバに出力するとともに前記補正撮像画像情報を前記画像補正サーバから取得する制御部を有し、前記画像補正サーバとネットワークを介して通信可能に接続された撮像側ユーザ端末装置と、
前記基準画像情報及び前記補正表示画像情報を前記画像補正サーバから取得するとともに前記基準画像色情報を前記画像補正サーバに出力する制御部を有し、前記画像補正サーバとネットワークを介して通信可能に接続された閲覧側ユーザ端末装置と、
を備えることを特徴とする請求項５又は請求項６に記載の画像補正システム。
【請求項１３】
撮像画像取得部が、撮像対象物が撮像された撮像画像を示す撮像対象画像情報を取得する工程と、
特定箇所色情報取得部が、色を測定する測定器により検出される前記撮像対象物の色を示す特定箇所色情報を取得する工程と、
撮像画像補正部が、前記特定箇所色情報に基づいて、前記撮像対象画像情報を補正する工程と、
補正撮像画像出力部が、前記撮像画像補正部により補正された前記撮像対象画像情報を示す補正撮像画像情報を出力する工程と、
を備えることを特徴とする画像補正方法。
【請求項１４】
コンピュータに、
撮像対象物が撮像された撮像画像を示す撮像対象画像情報を取得する工程と、
色を測定する測定器により検出される前記撮像対象物の色を示す特定箇所色情報を取得する工程と、
前記特定箇所色情報に基づいて、前記撮像対象画像情報を補正する工程と、
補正された前記撮像対象画像情報を示す補正撮像画像情報を出力する工程と、
を実行させるためのプログラム。
【発明の詳細な説明】
【技術分野】
【０００１】
本発明は、画像補正システム、画像補正方法、及びプログラムに関する。
【背景技術】
【０００２】
撮像対象物（以下、対象物という）を撮像した画像(以下、撮像画像という)において、対象物の実物の色と、表示装置に表示させた対象物の撮像画像の色とを一致させるために撮像画像の色を補正するカラーマネジメントという手法が知られている。例えば、特許文献１には、被写体（対象物）の撮影信号と、既知の分光反射率をもつ複数の色票からなる指定チャートの撮影信号とを取得することにより、被写体の分光反射率を推定する技術が開示されている。
【先行技術文献】
【特許文献】
【０００３】
【特許文献１】特開平１１−９６３３３号公報
【発明の概要】
【発明が解決しようとする課題】
【０００４】
しかしながら、特許文献１においては、被写体と指定チャートを一緒に撮影する場合には撮影時に指定チャートを所持していなければならず手間がかかる。また、被写体と指定チャートの色材が異なる場合には推定する被写体の分光反射率に誤りが生じる可能性がある。例えば、被写体が「染料」で着色されている一方で、指定チャートが「顔料」で印刷されている場合、人の目には同じ色に見えていても、「染料」と「顔料」とのそれぞれの分光反射率の違いにより、必ずしも実物の対象物の色と一致する方向に補正されるとは限らない。また、指定チャートに基づいて、画像全体の色を補正するため、特に色を一致させたい部分などがあった場合でも、部分的な補正をすることができないという問題があった。
【０００５】
本発明は、このような状況に鑑みてなされたものでユーザの負担を増加させることなく、画像全体の色を実物の色の見えに近づけるとともに特に色を一致させたい箇所を実物の色に近づけることができる画像補正システム、画像補正方法、及びプログラムを提供することである。
【課題を解決するための手段】
【０００６】
上述した課題を解決するために、本発明の一態様は、撮像対象物が撮像された撮像画像を示す撮像対象画像情報を取得する撮像画像取得部と、色を示す情報を測定する測定器により検出される前記撮像対象物における特定の推奨箇所の色を示す特定箇所色情報を取得する特定箇所色情報取得部と、前記特定箇所色情報に基づいて、前記撮像画像を補正する撮像画像補正部と、前記撮像画像補正部により補正された前記撮像画像を示す補正撮像画像情報を出力する補正撮像画像出力部と、を備えることを特徴とする画像補正システムである。
【０００７】
また、本発明の一態様は、撮像画像取得部が、撮像対象物が撮像された撮像画像を示す撮像対象画像情報を取得する工程と、特定箇所色情報取得部が、色を測定する測定器により検出される前記撮像対象物における特定の推奨箇所の色を示す特定箇所色情報を取得する工程と、撮像画像補正部が、前記特定箇所色情報に基づいて、前記撮像画像を補正する工程と、補正撮像画像出力部が、前記撮像画像補正部により補正された前記撮像画像を示す補正撮像画像情報を出力する工程と、を備えることを特徴とする画像補正方法である。
【０００８】
また、本発明の一態様は、コンピュータに、撮像対象物が撮像された撮像画像を示す撮像対象画像情報を取得する工程と、色を測定する測定器により検出される前記撮像対象物における特定の推奨箇所の色を示す特定箇所色情報を取得する工程と、前記特定箇所色情報に基づいて、前記撮像画像を補正する工程と、補正された前記撮像画像を示す補正撮像画像情報を出力する工程と、を実行させるためのプログラムである。
【発明の効果】
【０００９】
本発明によれば、ユーザの負担を増加させることなく、画像全体の色を実物の色の見えに近づけるとともに特に色を一致させたい箇所を実物の色に近づけることができる。
【図面の簡単な説明】
【００１０】
【図１】第１の実施形態の画像補正システム１の構成を示す構成図である。
【図２】第１の実施形態のユーザ端末装置２の構成を示す構成図である。
【図３】第１の実施形態の画像補正サーバ４の構成を示す構成図である。
【図４】第１の実施形態のユーザ端末装置２に表示される画像の例を示す図である。
【図５】第１の実施形態の画像補正システム１の動作例を示すシーケンスチャートである。
【図６】第２の実施形態の画像補正システム１Ａの構成を示す構成図である。
【図７】第２の実施形態の閲覧側ユーザ端末装置２‐２の構成を示す構成図である。
【図８】第２の実施形態の画像補正サーバ４Ａの構成を示す構成図である。
【図９】第２の実施形態の閲覧側ユーザ端末装置２−２に表示される画像の例を示す図である。
【図１０】第２の実施形態の画像補正システム１Ａの動作例を示すシーケンスチャートである。
【図１１】実施形態の変形例１の撮像側ユーザ端末装置２Ａの構成を示す構成図である。
【図１２】実施形態の変形例２の閲覧側ユーザ端末装置２Ｂの構成を示す構成図である。
【発明を実施するための形態】
【００１１】
以下、実施形態の画像補正システム、画像補正方法、及びプログラムを、図面を参照して説明する。
【００１２】
＜第１の実施形態＞
まず、第１の実施形態について説明する。
【００１３】
［第１の実施形態画像補正システムの全体構成の説明］
図１は、第１の実施形態の画像補正システム１の構成を示す構成図である。画像補正システム１は、ユーザ端末装置２と、色測定器３と、画像補正サーバ４と、ネットワーク５と、を備える。画像補正システム１では、色測定器３に接続されるユーザ端末装置２と、画像補正サーバ４と、がネットワーク５を経由して通信可能に接続される。
【００１４】
ユーザ端末装置２は、ユーザが使用するネットワーク端末である。具体的には、ユーザ端末装置２は、例えばパーソナルコンピュータ、携帯電話、スマートフォン、タブレット端末などである。
【００１５】
ユーザ端末装置２には、画像共有アプリケーションがインストールされる。画像共有アプリケーションは、例えば、ユーザがスマートフォンのカメラを使って撮像した対象物Ｔ（図２参照）の画像を、他のユーザと共有することができるアプリケーションソフトウェアである。画像共有アプリケーションが動作するユーザ端末装置では、例えば、商品として出品した対象物Ｔの画像Ｇ（図４参照）を他のユーザと共有し、その対象物Ｔの画像Ｇを見て気に入ったユーザに対し、商品を販売することができる。
【００１６】
また、ユーザ端末装置２は、色測定器３により検出された検出結果を取得する。ここでの検出結果とは、対象物Ｔの色を示す情報（色情報）である。ユーザ端末装置２が取得する色情報は、対象物Ｔの画像Ｇの色を補正する際に用いられる。
【００１７】
色測定器３は、ユーザ端末装置２に接続され、色情報を測定する測定器である。色測定器３は、例えば、特定方向に放射される光線の強度（輝度）を波長ごとに検出するセンサを備える。色測定器３は、例えば、ペンシル形状を有し、ユーザの操作によりペンシル形状の先端部分を物体に接触させる操作、あるいは物体に接触させることなく（非接触）近付ける操作（以下、これらの操作をまとめて「タッチ操作」という）が行われることにより、物体の色情報を検出する。色情報は、例えば、物体から放射される光線を波長ごとに検出された分光放射輝度、あるいは三刺激値である。
なお、色測定器３とユーザ端末装置２との間の通信は、例えば、セルラー網などの無線通信網、赤外線やＢｌｕｅｔｏｏｔｈ（登録商標）等の近距離無線通信網、ＬＡＮ（Local Area Network）などを介した有線通信網を介して行われる。
【００１８】
画像補正サーバ４は、画像共有アプリケーションのサービス提供者が運用するサーバである。画像共有アプリケーションが動作するユーザ端末装置２により送信された画像を管理する。また、画像補正サーバ４は、ユーザ端末装置２により送信された画像を、例えば、ユーザの希望に応じて補正する。
【００１９】
ネットワーク５は、例えば、ＷＡＮ（Wide Area Network）、ＬＡＮ（Local Area Network）、インターネット、プロバイダ装置、無線基地局、専用回線などのうちの一部または全部を含む。
【００２０】
本実施形態の画像補正システムにおいては、ユーザ端末装置２は、ユーザの操作により、例えば、画像共有アプリケーションで出品したい商品の撮像画像を画像補正サーバ４に送信する。
また、画像補正サーバ４は、ユーザ端末装置２から受信した撮像画像に基づいて、特に色を一致させたい箇所を判定し、判定した箇所をユーザ端末装置２に通知する。画像補正サーバ４が特に色を一致させたい箇所とは、例えば、商品の大部分を占める同じ色を示す箇所や、全く異なる色をそれぞれ示す複数の箇所である。この場合、ユーザ端末装置２は、画像共有アプリケーションにて通知された箇所に対応する箇所の対象物Ｔの色情報を、画像補正サーバ４に送信する。
ここで、ユーザ端末装置２は、ユーザの操作により特に色を一致させたい箇所を指定し、指定した箇所の色情報をその箇所を示す情報に対応づけて、画像補正サーバ４に送信するようにしてもよい。ここでの「特に色を一致させたい箇所」とは、例えば、ユーザが画像共有アプリケーションで表示された画像の色が実物の色と異なっていると感じる箇所や、商品として画像の色を実物の色を一致させたいと感じる箇所である。
画像補正サーバ４は、ユーザ端末装置２から受信した撮像画像を、ユーザ端末装置２から受信した色情報に基づいて補正する。
【００２１】
このような画像共有アプリケーションによる商品取引を行う場合、ユーザは商品の画像を閲覧することで商品を購入するか否かを決定する。このため、画像で視認される商品の色が、商品の実際の色に対して異なっている場合、商品が届いた際に「画像では明るい青に見えるが、暗めの青だった」などという不満が生じかねない。このような、画像の色と実際の色との相違は、出品するユーザの信頼を損ねることにも繋がる。
【００２２】
本実施形態の画像補正システム１では、画像補正サーバ４が、画像の色が、実際の色に対して近い色となるように補正する。このとき、画像の中でも、特に色を一致させたい箇所について実際の色に近づけるように補正する。これにより、画像の色と実際の色とを近づけ、画像で視認される商品の色に基づくイメージに、実際の商品との差異が生じないようにする。こうすることで、商品が届いた後の満足度を向上させ、商品を出品するユーザの信頼度を向上させる。
【００２３】
［第１の実施形態のユーザ端末装置の構成例の説明］
図２は、第１の実施形態のユーザ端末装置２の構成を示す構成図である。ユーザ端末装置２は、例えば、ＮＷ（ネットワーク）通信部２０と、色情報取得部２３と、撮像部２４と、表示部２５と、制御部２６と、を備える。
【００２４】
ＮＷ通信部２０は、受信部２１と、送信部２２とを備え、ネットワーク５に接続されて画像補正サーバ４と通信を行う。
受信部２１は、画像補正サーバ４により送信された推奨箇所位置情報、および補正撮像画像情報を受信する。ここで、推奨箇所位置情報は、対象物Ｔの一部の箇所を示す情報である。補正撮像画像情報は、画像補正サーバ４により色が補正された撮像画像を示す情報である。受信部２１は、受信したこれらの情報を制御部２６に出力する。
送信部２２は、画像補正サーバ４に対し、撮像対象画像情報、および推奨箇所色情報（「特定箇所色情報」の一例）を送信する。ここで、撮像対象画像情報は、対象物Ｔの撮像画像を示す情報である。推奨箇所色情報は、対象物Ｔの特定の箇所における色を示す情報である。
【００２５】
色情報取得部２３は、色測定器３により検出された色情報を取得する。ここで、色情報は、色を示す情報である。色情報取得部２３は、取得した色情報を制御部２６に出力する。
図２に示すように、第１の実施形態において、色情報取得部２３は、ユーザにより色測定器３が操作されることにより対象物Ｔにおける特定の箇所の色情報を取得する。
【００２６】
撮像部２４は、例えば、スマートフォンに内蔵されたカメラである。撮像部２４は、制御部２６の制御に基づいて対象物Ｔを撮像し、撮像した対象物Ｔの撮像画像を示す情報を制御部２６に出力する。
表示部２５は、例えば、スマートフォンに内蔵された表示ディスプレイである。表示部２５は、制御部２６の制御に基づいて画像や文字、記号等の形状を表示する。
【００２７】
制御部２６は、例えば、ＣＰＵなどを含むプロセッサであり、ユーザ端末装置２を統括的に制御する。制御部２６は、例えばＣＰＵに画像共有アプリケーションプログラムを実行させることにより、画像共有アプリケーションを動作させる。
制御部２６は、画像共有アプリケーションの動作として、撮像部２４により撮像された画像の情報を、出品する商品の撮像対象画像情報として、送信部２２を介して画像補正サーバ４に送信する。
【００２８】
また、制御部２６は、画像共有アプリケーションの動作として、色情報取得部２３により取得された色情報を、出品する商品の撮像画像の色を補正するための推奨箇所色情報として、送信部２２を介して画像補正サーバ４に送信する。
制御部２６は、画像共有アプリケーションの動作として、画像補正サーバ４からの推奨箇所位置情報を、受信部２１を介して取得する。制御部２６は、取得した推奨箇所位置情報を、例えば表示部２５に表示させる。これにより、表示部２５には、推奨箇所を示す画像が表示される。表示部２５が表示する推奨箇所を示す画像については、図４を参照して説明する。
【００２９】
また、制御部２６は、画像共有アプリケーションの動作として、画像補正サーバ４からの補正撮像画像情報を、受信部２１を介して取得する。制御部２６は、取得した補正撮像画像情報を、例えば表示部２５に表示させる。これにより、表示部２５には、補正された撮像画像が表示される。
【００３０】
［第１の実施形態の画像補正サーバの構成例の説明］
図３は、第１の実施形態の画像補正サーバ４の構成を示す構成図である。画像補正サーバ４は、例えば、ＮＷ（ネットワーク）通信部４０と、制御部４１と、を備える。
【００３１】
ＮＷ通信部４０は、受信部４００と、送信部４０１とを備え、ネットワーク５に接続されてユーザ端末装置２と通信を行う。
受信部４００は、ユーザ端末装置２により送信された撮像対象画像情報、および推奨箇所色情報を受信する。受信部４００は、これらの情報を制御部４１に出力する。
送信部４０１は、ユーザ端末装置２に対し、推奨箇所位置情報、および補正撮像画像情報を送信する。
【００３２】
制御部４１は、例えば、ＣＰＵなどを含むプロセッサであり、画像補正サーバ４を統括的に制御する。制御部４１としての機能は、例えばＣＰＵにプログラムを実行させることにより実現される。制御部４１は、撮像画像取得部４１０と、推奨箇所位置特定部４１１と推奨箇所色情報取得部４１２と、撮像画像補正部４１３と、補正撮像画像出力部４１４とを備える。
ここで、推奨箇所色情報取得部４１２は、「特定箇所色情報取得部」の一例である。
【００３３】
撮像画像取得部４１０は、ユーザ端末装置２により送信された撮像対象画像情報を、受信部４００を介して取得する。撮像画像取得部４１０は、取得した撮像対象画像情報を、推奨箇所位置特定部４１１に出力する。また、撮像画像取得部４１０は、取得した撮像対象画像情報を、撮像画像補正部４１３に出力する。
推奨箇所位置特定部４１１は、撮像画像取得部４１０から出力された撮像対象画像情報に基づいて、撮像画像に示される対象物Ｔの画像全体の中で色情報が取得されることが望ましい推奨箇所を特定する。ここで、推奨箇所は、推奨箇所位置特定部４１１により実物の対象物Ｔと対象物Ｔの画像とで特に色を一致させたい箇所と特定された箇所であり、例えば、対象物Ｔの中で同じ色を示す大部分を占める箇所や、対象物Ｔの中で色のコントラストが大きく変化する色をそれぞれ示す箇所である。推奨箇所位置特定部４１１は、特定した箇所を示す情報を推奨箇所位置情報として、送信部４０１を介してユーザ端末装置２に送信する。
【００３４】
推奨箇所色情報取得部４１２は、ユーザ端末装置２により送信された推奨箇所色情報を、受信部４００を介して取得する。推奨箇所色情報取得部４１２は、取得した推奨箇所色情報を、撮像画像補正部４１３に出力する。
撮像画像補正部４１３は、撮像画像取得部４１０から出力された撮像対象画像情報、および推奨箇所色情報取得部４１２から出力された推奨箇所色情報に基づき、撮像画像に示される色を、推奨箇所色情報を用いて補正する。撮像画像補正部４１３は、補正した撮像画像を示す情報を補正撮像画像出力部４１４に出力する。
補正撮像画像出力部４１４は、撮像画像補正部４１３から出力された情報を補正撮像画像情報として、送信部４０１を介してユーザ端末装置２に送信する。
【００３５】
［第１の実施形態のユーザ端末装置の表示例の説明］
図４は、第１の実施形態のユーザ端末装置２に表示される画像の例を示す図である。図４は、ユーザ端末装置２の制御部２６が、画像補正サーバ４から取得した推奨箇所位置情報に基づく画像を、表示部２５に表示させた例を示す。
【００３６】
図４に示すように、ユーザ端末装置２の表示部２５の表示画面には、対象物Ｔの画像Ｇが表示される。また、表示部２５の表示画面には、色情報を取得することを推奨する推奨箇所を示す丸枠ＧＭ−１〜ＧＭ−３が表示される。
図４に示すように、推奨箇所位置情報は、例えば、対象物Ｔの画像Ｇに、色情報を取得することを推奨する箇所を示す印が描画された画像を示す情報である。また、図４に示すように、推奨箇所には、複数の箇所を示すものであってもよいし、一つの箇所を示すものであってもよい。
【００３７】
ユーザは、表示部２５の表示画面に表示された画像Ｇ、および丸枠ＧＭ−１〜ＧＭ−３を視認し、例えば、対象物Ｔに対し、色測定器３を用いて丸枠ＧＭ−１に示された箇所に対応する箇所をタッチ操作する。
色測定器３は、ユーザの操作により、対象物Ｔのタッチ操作がなされた箇所の色を検出し、検出した色情報をユーザ端末装置２に出力する。ユーザ端末装置２の制御部２６は、色情報取得部２３を介して色測定器３からの色情報を取得する。制御部２６は、取得した色情報を、丸枠ＧＭ−１が示す箇所に対応付けて推奨箇所色情報とし、送信部２２を介して、画像補正サーバ４に送信する。
【００３８】
［第１の実施形態の手順例の説明］
これまでの説明から理解されるように、第１の実施形態における画像補正システム１では、ユーザが送信した撮像画像の色を、特に色を一致させたい箇所の色情報を用いて補正する。ここでは、図５を用いて、画像補正システム１において画像を補正する際に、ユーザ端末装置２と画像補正サーバ４との間で行われる手順例について説明する。
なお、第１の実施形態の前提として、画像補正サーバ４によりユーザ端末装置２の表示部２５の「表示特性」が事前に取得されているものとする。ここでいう「表示特性」は、色情報が既知である画像をユーザ端末装置２の表示部２５に表示させた場合における、当該色情報が既知である画像の情報（後述する「基準画像情報」）と、表示部２５の表示画面に表示された画像の色情報（後述する「基準画像色情報」）との関係である。
図５は、第１の実施形態の画像補正システム１の動作例を示すシーケンスチャートである。
図５の例において、画像補正は、画像補正サーバ４により通知された箇所に応じた色情報を、ユーザ端末装置２が送信することにより行われる。
【００３９】
ユーザ端末装置２は、自装置の撮像部２４により対象物Ｔを撮像させ、あるいは、他の撮像装置により対象物Ｔを撮像させ、対象物Ｔの撮像対象画像情報を取得する（ステップＳ１）。ユーザ端末装置２は、取得した対象物Ｔの撮像対象画像情報を、画像補正サーバ４に送信する。そして、画像補正サーバ４は、ユーザ端末装置２より送信された対象物Ｔの撮像対象画像情報を受信する（ステップＳ２）。
画像補正サーバ４は、受信した撮像対象画像情報に基づいて、推奨箇所位置特定部４１１により推奨箇所を特定させる（ステップＳ３）。画像補正サーバ４は、対象物Ｔの推奨箇所位置情報を、ユーザ端末装置２に送信する。そして、ユーザ端末装置２は、対象物Ｔの推奨箇所位置情報を受信する（ステップＳ４）。
ユーザ端末装置２は、表示部２５に対象物Ｔの推奨箇所を表示させる。ユーザ端末装置２は、ユーザの操作により、色測定器３により検出された推奨箇所に対応する箇所の色情報を取得する（ステップＳ５）。ユーザ端末装置２は、取得した対象物Ｔの推奨箇所色情報を、画像補正サーバ４に送信する。そして、画像補正サーバ４は、ユーザ端末装置２より送信された対象物Ｔの推奨箇所色情報を受信する（ステップＳ６）。
画像補正サーバ４は、受信した推奨箇所色情報、およびステップＳ２で受信した撮像対象画像情報に基づいて、撮像画像補正部４１３により対象物Ｔの画像Ｇの色を補正させる（ステップＳ７）。画像補正サーバ４は、補正した対象物Ｔの画像Ｇの補正撮像画像情報を、ユーザ端末装置２に送信する。そして、ユーザ端末装置２は、対象物Ｔの補正撮像画像情報を受信する（ステップＳ８）。
【００４０】
以上説明したように、第１の実施形態の画像補正システム１では、対象物Ｔが撮像された画像Ｇを示す撮像対象画像情報を取得する撮像画像取得部４１０と、色測定器３により検出される対象物Ｔにおける特定の箇所の色情報を取得する推奨箇所色情報取得部４１２と、推奨箇所色情報に基づいて、画像Ｇを補正する撮像画像補正部４１３と、撮像画像補正部４１３により補正された画像Ｇを示す補正撮像画像情報を出力する補正撮像画像出力部４１４とを備える。
【００４１】
これにより、第１の実施形態の画像補正システム１では、ユーザの負担を増加させることなく、画像全体の色を実物の色の見えに近づけるとともに特に色を一致させたい箇所を実物の色に近づけることができる。画像補正に用いられる撮像対象画像情報は、ユーザによる撮像部２４の操作により指定チャートなどを用いることなく普通に撮像された画像から取得される情報であり、ユーザの負担を増加させるものではない。また、画像補正に用いられる推奨箇所色情報は、色測定器３を用いて検出された色情報であり、ユーザは簡単なタッチ操作を行うだけでよく、ユーザの負担を増加させるものではない。また、撮像画像補正部４１３により撮像対象画像情報に対して推奨箇所における推奨箇所色情報が関連付けられることによって、特に色を一致させたい箇所の色情報を反映させた画像Ｇを表示させることが可能となる。このため、表示部２５に表示される対象物Ｔの画像Ｇについて、推奨箇所色情報が取得された環境において視認される対象物Ｔの色に近付けることができ画像全体の色を実物の色の見えに近づけるとともに特に色を一致させたい箇所と実際の色とを近づけることができる。
【００４２】
また、第１の実施形態の画像補正システム１では、撮像対象画像情報に基づいて、対象物Ｔにおいて色情報が取得される箇所である推奨箇所を特定し、特定した推奨箇所を示す推奨箇所位置情報を出力する推奨箇所位置特定部４１１をさらに備える。これにより、第１の実施形態の画像補正システム１では、さらにユーザの負担の増加を抑制することができる。推奨箇所位置特定部４１１が特定した箇所をユーザに通知することができ、ユーザは、対象物Ｔの色情報を取得すべき個所をあれこれ思案する必要がなく、通知された箇所について、対象物Ｔの色情報を取得すればよいためである。
【００４３】
また、第１の実施形態の画像補正システム１では、推奨箇所色情報取得部４１２は、対象物Ｔにおける推奨箇所位置情報に対応する箇所の推奨箇所色情報を、取得する。これにより、第１の実施形態の画像補正システム１では、さらに、画像全体の色を実物の色の見えに近づけるとともに特に色を一致させたい箇所を実物の色に近づけることができる。推奨箇所位置特定部４１１が特定した箇所は、特に色を一致させたい箇所を指定するものであるため、推奨箇所位置特定部４１１が特定した箇所に応じた色情報を用いて画像が補正されることにより、より精度よく実際の色と近づけることができるためである。
【００４４】
また、第１の実施形態の画像補正システム１では、推奨箇所色情報は、対象物Ｔの特定の箇所における三刺激値、又は分光放射輝度である。これにより、第１の実施形態の画像補正システム１では、さらに、画像全体の色を実物の色の見えに近づけるとともに特に色を一致させたい箇所を実物の色に近づけることができる。三刺激値、及び分光放射輝度は、ともに推奨箇所色情報が取得された環境において、対象物Ｔから放射（反射）される光線を周波数毎に検出した値に基づいて決定される物理量である。このため、三刺激値、または分光放射輝度を用いて画像が補正されることにより、撮像画像を、推奨箇所色情報が取得された環境において視認される対象物Ｔの色に近づけることができるためである。
【００４５】
また、第１の実施形態の画像補正システム１では、撮像画像取得部４１０、推奨箇所色情報取得部４１２、撮像画像補正部４１３、及び補正撮像画像出力部４１４を有する画像補正サーバ４と、撮像対象画像情報および推奨箇所色情報を、画像補正サーバ４に出力する制御部２６を有し、画像補正サーバ４とネットワーク５を介して通信可能に接続されたユーザ端末装置２とを備える。これにより、第１の実施形態の画像補正システム１では、上述した効果を奏する他、既存のインターネットを用いたサービスを展開させることができる。
【００４６】
また、第１の実施形態の画像補正システム１では、撮像画像取得部４１０、推奨箇所位置特定部４１１、推奨箇所色情報取得部４１２、撮像画像補正部４１３、および補正撮像画像出力部４１４を有する画像補正サーバ４と、撮像対象画像情報および推奨箇所色情報を、画像補正サーバ４に出力する制御部２６を有し、前記画像補正サーバとネットワークを介して通信可能に接続されたユーザ端末装置２とを備える。これにより、第１の実施形態の画像補正システム１では、上述した効果を奏する他、特に色を一致させたい箇所と実際の色とを近づけることができる。推奨箇所位置特定部４１１が、特に色を一致させたい箇所を指定し、推奨箇所位置特定部４１１が特定した箇所に応じた色情報を用いて画像が補正されることにより、より精度よく実際の色と近づけることができるためである。
【００４７】
＜第２の実施形態＞
次に、第２の実施形態について説明する。
【００４８】
［第２の実施形態の画像補正システムの全体構成の説明］
図６は、第２の実施形態の画像補正システム１Ａの構成を示す構成図である。画像補正システム１Ａでは、第１の実施形態における画像補正サーバ４を、画像補正サーバ４Ａとする点において、第１の実施形態と相違する。また、第２の実施形態の画像補正システム１Ａでは、異なる動作を行う複数のユーザ端末装置２（２−１、２−２）が、画像補正サーバ４Ａとネットワーク５を経由して通信可能に接続される点において、第１の実施形態と相違する。なお、第２の実施形態では、第１の実施形態のユーザ端末装置２を、撮像側ユーザ端末装置２−１と称する。また、第２の実施形態において、新たに加わったユーザ端末装置２を、閲覧側ユーザ端末装置２−２と称する。また、以下に説明する以外の構成は、上記実施形態と同様である。
【００４９】
なお、第１の実施形態の画像補正システム１では、画像を送信するユーザ端末装置２が少なくとも一つあればよく、この他に複数のユーザ端末装置２が画像補正サーバ４とネットワーク５を経由して通信可能に接続されていてもよい。また、第２の実施形態の画像補正システム１Ａでは、画像を送信する撮像側ユーザ端末装置２−１、および画像を受信する閲覧側ユーザ端末装置２−２が少なくとも一つずつあればよく、この他に複数のユーザ端末装置２が画像補正サーバ４とネットワーク５を経由して通信可能に接続されていてもよい。
【００５０】
また、第２の実施形態の撮像側ユーザ端末装置２−１、および閲覧側ユーザ端末装置２−２は、機能構成は同一であるが、画像補正サーバ４Ａとの間で送受信される情報、および、それらの送受信される情報に基づく動作が互いに異なる。このため、撮像側ユーザ端末装置２−１が撮像側ユーザ端末装置２−１として固定された動作を行うものではないし、閲覧側ユーザ端末装置２−２が閲覧側ユーザ端末装置２−２として固定された動作を行うものではない。例えば、あるタイミングにおいて、撮像側ユーザ端末装置２−１が、画像補正サーバ４に画像を送信する撮像側ユーザ端末装置２−１として動作し、閲覧側ユーザ端末装置２−２が、画像補正サーバ４から画像を受信する閲覧側ユーザ端末装置２−２として動作する。また別のタイミングにおいては、撮像側ユーザ端末装置２−１が、画像補正サーバ４から画像を受信する閲覧側ユーザ端末装置２−２として動作し、撮像側ユーザ端末装置２−１が、画像補正サーバ４に画像を送信する撮像側ユーザ端末装置２−１として動作してもよい。
【００５１】
［第２の実施形態のユーザ端末装置の構成例の説明］
図７は、第２の実施形態の閲覧側ユーザ端末装置２−２の構成を示す構成図である。
図７に示すように、閲覧側ユーザ端末装置２−２は、例えば、ＮＷ（ネットワーク）通信部２０と、色情報取得部２３と、表示部２５と、制御部２６と、を備える。
【００５２】
ＮＷ通信部２０は、受信部２１と、送信部２２とを備え、ネットワーク５に接続されて画像補正サーバ４Ａと通信を行う。
受信部２１は、画像補正サーバ４Ａにより送信された基準画像情報、補正撮像画像情報、および補正表示画像情報を受信する。ここで、基準画像情報は、画像の色を補正する際に、基準の色とする既知の色が描画された画像を示す情報である。補正表示画像情報は、画像補正サーバ４Ａにより、補正画像に対して、更に閲覧側ユーザ端末装置２−２の「表示特性」に応じて色が補正された画像を示す情報である。受信部２１は、受信したこれらの情報を制御部２６に出力する。
送信部２２は、画像補正サーバ４Ａに対し、基準画像色情報を送信する。ここで、基準画像色情報は、基準の色を表示させた画像における色を示す情報である。
【００５３】
色情報取得部２３は、図７に示すように、ユーザにより色測定器３が操作されることにより、閲覧側ユーザ端末装置２−２の表示部２５に表示された基準となる色の画像ＧＰにおける特定の箇所の色情報を取得する。表示部２５が表示する画像ＧＰについては、図９を参照して説明する。
【００５４】
制御部２６は、例えば、ＣＰＵなどを含むプロセッサであり、閲覧側ユーザ端末装置２−２を統括的に制御する。制御部２６は、例えばＣＰＵに画像共有アプリケーションプログラムを実行させることにより、画像共有アプリケーションを動作させる。
【００５５】
制御部２６は、画像共有アプリケーションの動作として、画像補正サーバ４Ａからの基準画像情報を、受信部２１を介して取得する。制御部２６は、取得した基準画像情報を、例えば表示部２５に表示させる。これにより、表示部２５には、基準色を示す画像ＧＰが表示される。
【００５６】
また、制御部２６は、画像共有アプリケーションの動作として、色情報取得部２３により取得された色情報を、基準色を表示部２５に表示させた画像の色を示す基準画像色情報として、送信部２２を介して画像補正サーバ４Ａに送信する。
【００５７】
また、制御部２６は、画像共有アプリケーションの動作として、画像補正サーバ４Ａからの補正表示画像情報を、受信部２１を介して取得する。制御部２６は、取得した補正表示画像情報を、例えば表示部２５に表示させる。これにより、表示部２５には、画像補正サーバ４Ａにより基準画像色情報に基づいて補正された画像が表示される。表示部２５が表示する基準画像色情報に基づいて補正された画像については、図９を参照して説明する。
【００５８】
［第２の実施形態の画像補正サーバの構成例の説明］
図８は、第２の実施形態の画像補正サーバ４Ａの構成を示す構成図である。画像補正サーバ４Ａは、例えば、ＮＷ（ネットワーク）通信部４０と、制御部４１Ａと、を備える。
【００５９】
ＮＷ通信部４０は、受信部４００と、送信部４０１とを備え、ネットワーク５に接続されて撮像側ユーザ端末装置２−１、および閲覧側ユーザ端末装置２−２と通信を行う。
受信部４００は、撮像側ユーザ端末装置２−１により送信された撮像対象画像情報、および推奨箇所色情報を受信する。また、受信部４００は、閲覧側ユーザ端末装置２−２により送信された基準画像色情報を受信する。受信部４００は、これらの情報を制御部４１に出力する。
送信部４０１は、撮像側ユーザ端末装置２-１に対し、推奨箇所位置情報、および補正撮像画像情報、を送信する。送信部４０１は、閲覧側ユーザ端末装置２-２に対し、基準画像情報、補正撮像画像情報、および補正表示画像情報を送信する。
【００６０】
制御部４１Ａは、例えば、ＣＰＵなどを含むプロセッサであり、画像補正サーバ４Ａを統括的に制御する。制御部４１Ａとしての機能は、例えばＣＰＵにプログラムを実行させることにより実現される。制御部４１Ａは、撮像画像取得部４１０と、推奨箇所位置特定部４１１と推奨箇所色情報取得部４１２と、撮像画像補正部４１３と、補正撮像画像出力部４１４と、基準色特定部４１５と、基準画像色情報取得部４１６と、表示画像補正部４１７とを備える。
【００６１】
補正撮像画像出力部４１４は、撮像画像補正部４１３から出力された情報を補正撮像画像情報として、送信部４０１を介して撮像側ユーザ端末装置２−１に送信する。また、補正撮像画像出力部４１４は、撮像画像補正部４１３から出力された情報を基準色特定部４１５に出力する。また、補正撮像画像出力部４１４は、撮像画像補正部４１３から出力された情報を表示画像補正部４１７に出力する。
【００６２】
基準色特定部４１５は、補正撮像画像出力部４１４から出力された補正撮像画像情報に基づいて、基準色を特定する。基準色特定部４１５は、例えば、補正された撮像のうち同じ色が大部分を占める場合にはその色を基準色に特定する。基準色特定部４１５は、例えば、補正された撮像に色調が大きく異なる色がある場合にはそれらの色を基準色に特定する。また、基準色特定部４１５は、特定した色に近い色をもつ複数の色を基準色としてもよい。
【００６３】
あるいは、基準色特定部４１５は、画像補正サーバ４Ａの図示しない記憶部に予め記憶された色情報が示す色を、単数又は複数選択して基準色を特定するようにしてもよい。
【００６４】
基準色特定部４１５は、特定した基準色を含む画像を示す情報を基準画像情報として送信部４０１を介して閲覧側ユーザ端末装置２−２に送信する。ここで、基準色特定部４１５は、「基準画像出力部」の一例である。
【００６５】
また、基準色特定部４１５は、基準画像情報とともに、または基準画像情報とは別に、補正撮像画像出力部４１４から出力された補正撮像画像情報を、送信部４０１を介して閲覧側ユーザ端末装置２−２に送信するようにしてもよい。
【００６６】
基準画像色情報取得部４１６は、閲覧側ユーザ端末装置２−２により送信された基準画像色情報を、受信部４００を介して取得する。基準画像色情報取得部４１６は、取得した基準画像色情報を、表示画像補正部４１７に出力する。
表示画像補正部４１７は、補正撮像画像出力部４１４から出力された補正撮像画像情報、および基準画像色情報取得部４１６から出力された基準画像色情報に基づき、閲覧側ユーザ端末装置２−２の表示部２５に表示される補正撮像画像情報に基づく画像（以下、表示画像という）に示される色を、基準画像色情報を用いて補正する。表示画像補正部４１７は、補正した表示画像を示す情報を補正表示画像情報として、送信部４０１を介して閲覧側ユーザ端末装置２−２に送信する。
【００６７】
［第２の実施形態のユーザ端末装置の表示例の説明］
図９は、第２の実施形態の閲覧側ユーザ端末装置２−２に表示される画像の例を示す図である。図９（ａ）は、閲覧側ユーザ端末装置２−２の制御部２６が、画像補正サーバ４Ａから取得した補正撮像画像情報、および基準画像情報に基づく画像を、表示部２５に表示させた例を示す。図９（ｂ）は、閲覧側ユーザ端末装置２−２の制御部２６が、画像補正サーバ４Ａから取得した補正表示画像情報に基づく画像を、表示部２５に表示させた例を示す。
【００６８】
図９（ａ）に示すように、閲覧側ユーザ端末装置２−２の表示部２５の表示画面には、対象物Ｔの画像Ｇとともに、基準画像ＧＰが表示される。画像ＧＰには、三つの色を示す画像（Ｇ−６〜Ｇ−８）が示される。図９に示すように、基準色には、複数の色が含まれていてもよいし、一つの色であってもよい。
【００６９】
画像Ｇは、第１の実施形態において、撮像側ユーザ端末装置２−１の推奨箇所色情報に基づいて色が補正された画像である。しかしながら、閲覧側ユーザ端末装置２−２に表示される画像Ｇは、撮像側ユーザ端末装置２−１において表示される画像Ｇの色とは異なる。このように、同じ画像情報に基づいて画像を表示させても、ユーザ端末装置２が備える表示部２５の特性によっては、異なる色の画像として表示されてしまう場合がある。
【００７０】
ユーザは、表示部２５の表示画面に表示された画像ＧＰを視認し、例えば、色測定器３を用いて表示画面に表示された画像ＧＰの色部分（例えば画像Ｇ−６）をタッチ操作する。
色測定器３は、ユーザの操作により、表示画面のタッチ操作がなされた箇所の色を検出し、検出した色情報を閲覧側ユーザ端末装置２−２に出力する。閲覧側ユーザ端末装置２−２の制御部２６は、色情報取得部２３を介して色測定器３からの色情報を取得する。制御部２６は、取得した色情報を、画像Ｇ−６が示す色に対応付けて基準画像色情報とし、送信部２２を介して、画像補正サーバ４Ａに送信する。
画像補正サーバ４Ａは、このようにして、基準となる色情報を取得し、取得した色情報を用いて画像Ｇを補正する。これにより、第２の実施形態の画像補正システム１Ａにおいては、閲覧側ユーザ端末装置２−２の表示部２５の「表示特性」に対応させるように、対象物Ｔの画像Ｇを補正することができる。
【００７１】
図９（ｂ）に示すように、閲覧側ユーザ端末装置２−２の表示部２５の表示画面には、基準画像色情報に基づいて補正された画像Ｇが表示される。図９（ｂ）の画像Ｇは、推奨箇所色情報が取得された環境において視認される対象物Ｔの色に近づいている。
つまり、撮像側ユーザ端末装置２−１からの色情報（特定箇所色情報）に基づいて補正された補正撮像画像情報が示す画像（図９（ａ）の画像Ｇ）を、閲覧側ユーザ端末装置２−２の表示部２５に表示せた場合に、表示部２５の「表示特性」によっては、画像が、推奨箇所色情報が取得された環境において視認される実物の対象物Ｔの色に近づいて視認される状態で表示されるとは限らない。このため、閲覧側ユーザ端末装置２−２に表示させた基準画像の色情報（基準画像色情報）に基づいて再度の補正を行う。こうすることで、閲覧側ユーザ端末装置２−２の表示部２５の「表示特性」に基づいた補正を行うことができ、対象物Ｔの画像Ｇを推奨箇所色情報が取得された環境において視認される対象物Ｔの見えに近づけることが可能となる。
【００７２】
［第２の実施形態の手順例の説明］
これまでの説明から理解されるように、第２の実施形態における画像補正システム１Ａでは、ユーザが受信する撮像画像の色を、基準の色情報を用いて補正する。ここでは、図１０を用いて、画像補正システム１Ａにおいて画像を補正する際に、撮像側ユーザ端末装置２−１と、画像補正サーバ４Ａと、閲覧側ユーザ端末装置２−２との間で行われる手順例について説明する。
図１０は、第２の実施形態の画像補正システム１Ａの動作例を示すシーケンスチャートである。
図１０の例において、ステップＳ１１〜Ｓ１７までの動作は、図５に示す第１の実施形態の画像補正システム１の動作例におけるステップＳ１〜Ｓ７までの動作と同じであるため、その説明を省略する。
【００７３】
画像補正サーバ４Ａは、補正した対象物Ｔの画像Ｇの補正撮像画像情報、および基準色特定部４１５により特定させた基準色を示す画像ＧＰの基準画像情報を、閲覧側ユーザ端末装置２−２に送信する。そして、閲覧側ユーザ端末装置２−２は、補正撮像画像情報を受信する（ステップＳ１８）。また、閲覧側ユーザ端末装置２−２は、基準画像情報を受信する（ステップＳ１９）。
【００７４】
閲覧側ユーザ端末装置２−２は、表示部２５に画像Ｇ、および画像ＧＰを表示させる。閲覧側ユーザ端末装置２−２は、ユーザの操作により、色測定器３により検出された表示画面に表示された基準画像の色情報を取得する（ステップＳ２０）。閲覧側ユーザ端末装置２−２は、取得した基準画像色情報を、画像補正サーバ４Ａに送信する。そして、画像補正サーバ４Ａは、閲覧側ユーザ端末装置２−２より送信された基準画像色情報を受信する（ステップＳ２１）。
画像補正サーバ４Ａは、受信した基準画像色情報、およびステップＳ１８で受信した補正撮像画像情報に基づいて、表示画像補正部４１７により画像Ｇの色を補正させる（ステップＳ２２）。画像補正サーバ４Ａは、補正した画像Ｇの補正表示画像情報を、閲覧側ユーザ端末装置２−２に送信する。そして、閲覧側ユーザ端末装置２−２は、閲覧側ユーザ端末装置２−２の表示部２５の特性に対応させた補正表示画像情報を受信する（ステップＳ２３）。
【００７５】
以上説明したように、第２の実施形態の画像補正システム１では、基準画像情報を特定し、特定した基準画像情報を出力する基準色特定部４１５と、色測定器３−２により検出される、閲覧側ユーザ端末装置２−２の表示部２５に表示された画像ＧＰの色情報を取得する基準画像色情報取得部４１６と、基準画像色情報に基づいて、補正撮像画像を補正する表示画像補正部４１７と、表示画像補正部４１７により補正された補正表示画像情報を出力する送信部４０１（「補正表示画像出力部」の一例）と、をさらに備える。
【００７６】
これにより、第２の実施形態の画像補正システム１Ａでは、上述した効果を奏する他、閲覧側ユーザ端末装置２−２に表示される対象物Ｔの画像Ｇの色と、推奨箇所色情報が取得された環境において視認される対象物Ｔの色とを近づけることができる。基準色特定部４１５により特定された基準画像の色情報を、基準画像色情報取得部４１６により取得することができ、基準画像色情報を用いて表示画像補正部４１７により表示画像を補正することができる。ここで、基準画像色情報は、閲覧側ユーザ端末装置２−２の表示部２５に表示された基準画像の色情報であり、閲覧側ユーザ端末装置２−２の「表示特性」に基づいて、表示画像を補正することができるためである。
【００７７】
また、第２の実施形態の画像補正システム１Ａでは、基準画像色情報は、閲覧側ユーザ端末装置２−２に表示された基準色の三刺激値、又は分光放射輝度である。これにより、第２の実施形態の画像補正システム１Ａでは、上述した効果を奏する他、より正確に閲覧側ユーザ端末装置２−２に表示される対象物Ｔの画像Ｇの色と、実際の色とを近づけることができる。三刺激値、及び分光放射輝度は、ともに推奨箇所色情報が取得された環境下において、対象物Ｔから放射（反射）される光線を周波数毎に検出した値に基づいて決定される物理量である。このため、三刺激値、または分光放射輝度を用いて画像が補正されることにより、撮像画像を、推奨箇所色情報が取得された環境において視認される対象物Ｔの色に近づけることができるためである。
【００７８】
また、第２の実施形態の画像補正システム１Ａでは、基準色特定部４１５、基準画像色情報取得部４１６、表示画像補正部４１７、及び送信部４０１、を有する画像補正サーバ４Ａと、基準画像情報を画像補正サーバ４Ａから取得するとともに基準画像色情報を画像補正サーバ４Ａに出力するとともに補正表示画像情報を画像補正サーバ４Ａから取得する制御部２６を有し、前記画像補正サーバとネットワークを介して通信可能に接続された閲覧側ユーザ端末装置２−２と、を備える。これにより、第２の実施形態の画像補正システム１Ａでは、上述した効果を奏する他、既存のインターネットを用いたサービスを展開させることができる。
【００７９】
また、第２の実施形態の画像補正システム１Ａでは、撮像画像取得部４１０、推奨箇所色情報取得部４１２、撮像画像補正部４１３、補正撮像画像出力部４１４、基準色特定部４１５、基準画像色情報取得部４１６、表示画像補正部４１７、及び送信部４０１（「補正表示画像出力部」の一例）、を有する画像補正サーバ４Ａと、撮像対象画像情報を画像補正サーバ４Ａに出力するとともに、推奨箇所色情報を画像補正サーバ４Ａに出力し、補正撮像画像情報を画像補正サーバ４Ａから取得する制御部２６を有し、前記画像補正サーバとネットワークを介して通信可能に接続された撮像側ユーザ端末装置２−１と、基準画像色情報を画像補正サーバ４Ａから取得するとともに、基準画像色情報を画像補正サーバ４Ａに出力し、補正表示画像情報を画像補正サーバ４Ａから取得する制御部２６を有し、前記画像補正サーバとネットワークを介して通信可能に接続された閲覧側ユーザ端末装置２−２と、を備える。これにより、第２の実施形態の画像補正システム１Ａでは、上述した効果を奏する他、撮像側ユーザ端末装置２−１により撮像された対象物Ｔの画像が、閲覧側ユーザ端末装置２−２の表示部２５に表示されるまでの一貫したトータルカラーマネージメントシステムを提供することができる。
【００８０】
＜実施形態の変形例１＞
次に、実施形態の変形例１について説明する。
【００８１】
［実施形態の変形例１の撮像側ユーザ端末の構成例の説明］
図１１は、実施形態の変形例１の撮像側ユーザ端末装置２Ａの構成を示す構成図である。撮像側ユーザ端末装置２Ａは、撮像側ユーザ端末装置２Ａの制御部２６Ａに、推奨箇所位置特定部２７を有する点において上述した実施形態と相違する。また、以下に説明する以外の構成は、上記実施形態と同様である。
【００８２】
推奨箇所位置特定部２７は、上述した実施形態において、画像補正サーバ４（４Ａ）の制御部４１（４１Ａ）に備えられた推奨箇所位置特定部４１１における機能を、撮像側ユーザ端末装置２Ａの機能として動作させる機能部である。
推奨箇所位置特定部２７は、撮像部２４から取得した撮像対象画像情報に基づいて、撮像画像に示される対象物Ｔの画像全体の中で特に色を一致させたい箇所を特定する。推奨箇所位置特定部２７は、特定した箇所における位置を示す情報（推奨箇所位置情報）を表示部２５に表示させる。
また、推奨箇所位置特定部２７は、特定した推奨箇所位置情報を、送信部２２を介して画像補正サーバ４（４Ａ）に送信する。
そして、画像補正サーバ４（４Ａ）は、撮像側ユーザ端末装置２Ａからの撮像対象画像情報、推奨箇所位置情報、および推奨箇所色情報に基づき、撮像画像に示される色を補正する。
【００８３】
以上説明したように、実施形態の変形例１の画像補正システム１（１Ａ）では、撮像画像取得部４１０と、推奨箇所色情報取得部４１２と、撮像画像補正部４１３と、補正撮像画像出力部４１４とを有する画像補正サーバ４（４Ａ）と、推奨箇所位置特定部２７を有し、撮像対象画像情報、推奨箇所位置特定部２７により特定された推奨箇所位置情報、および推奨箇所位置情報に対応する箇所の推奨箇所色情報を、画像補正サーバ４（４Ａ）に出力する制御部２６Ａを有し、前記画像補正サーバとネットワークを介して通信可能に接続された撮像側ユーザ端末装置２Ａと備える。これにより、実施形態の変形例１の画像補正システム１（１Ａ）では、上述した効果を奏する他、画像補正サーバ４（４Ａ）の処理負担を低減させることができる。推奨箇所を特定する処理を画像補正サーバ４（４Ａ）に代わって撮像側ユーザ端末装置２Ａが行うためである。また、画像補正サーバ４（４Ａ）が推奨箇所位置情報を撮像側ユーザ端末装置２Ａに送信する必要がないため、ネットワーク５の負荷も低減させることができる。
【００８４】
なお、上述した実施形態の変形例１では、撮像側ユーザ端末装置２Ａに推奨箇所位置特定部２７が備えられている例を説明した。さらに、撮像側ユーザ端末装置２Ａに、撮像画像補正部４１３に対応する機能部が備わっていてもよい。撮像画像補正部は、画像補正サーバ４（４Ａ）の制御部４１（４１Ａ）に備えられた撮像画像補正部４１３における機能を、撮像側ユーザ端末装置２Ａの機能として動作させる機能部である。これにより、実施形態の変形例１の画像補正システム１（１Ａ）では、撮像側ユーザ端末装置２Ａにより、対象物の撮像、および撮像画像の補正を行うことができる。このため、撮像対象画像情報、推奨箇所位置情報、および撮像画像の補正に用いる推奨箇所色情報を、撮像側ユーザ端末装置２Ａから画像補正サーバ４（４Ａ）に送信する必要がなく、ネットワーク５の負荷を低減させることができる。また、画像補正サーバ４（４Ａ）が撮像画像の補正を行う必要がないため、画像補正サーバ４（４Ａ）の処理負担を低減させることができる。
【００８５】
＜実施形態の変形例２＞
次に、実施形態の変形例２について説明する。
【００８６】
［実施形態の変形例２の閲覧側ユーザ端末の構成例の説明］
図１２は、実施形態の変形例２の閲覧側ユーザ端末装置２Ｂの構成を示す構成図である。閲覧側ユーザ端末装置２Ｂは、閲覧側ユーザ端末装置２Ｂの制御部２６Ｂに、基準色特定部２８を有する点において上述した実施形態と相違する。また、以下に説明する以外の構成は、上記実施形態と同様である。
【００８７】
基準色特定部２８は、上述した実施形態において、画像補正サーバ４（４Ａ）の制御部４１（４１Ａ）に備えられた基準色特定部４１５における機能を、閲覧側ユーザ端末装置２Ｂの機能として動作させる機能部である。
基準色特定部２８は、受信部２１を介して取得した補正撮像画像情報に基づいて、基準色を特定する。基準色特定部２８は、特定した基準色を含む画像を表示部２５に表示させる。
また、基準色特定部２８は、基準色を含む画像を示す情報（基準画像情報）を、送信部２２を介して画像補正サーバ４（４Ａ）に送信する。
そして、画像補正サーバ４（４Ａ）は、閲覧側ユーザ端末装置２Ｂからの基準画像情報、および基準画像色情報に基づき、補正撮像画像に示される色を補正する。
【００８８】
以上説明したように、実施形態の変形例２の画像補正システム１（１Ａ）では、基準画像色情報取得部４１６と、表示画像補正部４１７と、送信部４０１とを有する画像補正サーバ４（４Ａ）と、基準色特定部２８を有し、基準色特定部２８により特定された基準色を含む画像を示す基準画像情報及び基準画像色情報を画像補正サーバ４（４Ａ）に出力するとともに補正表示画像情報を画像補正サーバ４（４Ａ）から取得する制御部２６Ｂを有し、前記画像補正サーバとネットワークを介して通信可能に接続された閲覧側ユーザ端末装置２Ｂと、を備える。これにより、実施形態の変形例１の画像補正システム１（１Ａ）では、上述した効果を奏する他、画像補正サーバ４（４Ａ）の処理負担を低減させることができる。基準色を特定する処理を画像補正サーバ４（４Ａ）に代わって閲覧側ユーザ端末装置２Ｂが行うためである。また、画像補正サーバ４（４Ａ）が基準画像情報を閲覧側ユーザ端末装置２Ｂに送信する必要がないため、ネットワーク５の負荷も低減させることができる。
【００８９】
なお、上述した実施形態の変形例２では、閲覧側ユーザ端末装置２Ｂに基準色特定部２８が備えられている例を説明した。さらに、閲覧側ユーザ端末装置２Ｂに、表示画像補正部が備わっていてもよい。この表示画像補正部は、画像補正サーバ４（４Ａ）の制御部４１（４１Ａ）に備えられた表示画像補正部４１７における機能を、閲覧側ユーザ端末装置２Ｂの機能として動作させる機能部である。これにより、実施形態の変形例２の画像補正システム１（１Ａ）では、閲覧側ユーザ端末装置２Ｂにより撮像対象画像の補正を行うことができる。このため、基準画像情報を画像補正サーバ４（４Ａ）から閲覧側ユーザ端末装置２Ｂに送信する必要がなく、また基準画像情報、および基準画像色情報を閲覧側ユーザ端末装置２Ｂから画像補正サーバ４（４Ａ）に送信する必要がない。このため、ネットワーク５の負荷を低減させることができる。また、画像補正サーバ４（４Ａ）が補正撮像画像の再度の補正を行う必要がないため、画像補正サーバ４（４Ａ）の処理負担を低減させることができる。
【００９０】
なお、上記した少なくとも一つの実施形態においては、ユーザは、図５のステップＳ５において、ユーザ端末装置２（２Ａ）は、ユーザが色測定器３を操作することにより、推奨箇所に対応する箇所の色情報を取得した。しかしながら、図５のステップＳ５において、ユーザ端末装置２は、推奨箇所に対応する箇所の色情報を取得しない旨を、画像補正サーバ４（４Ａ）に通知するようにしてもよい。推奨箇所位置特定部４１１により特定された推奨箇所が必ずしも、ユーザが色を一致させたい箇所であるとは限らないためである。例えば、推奨箇所位置特定部４１１により特定された推奨箇所が対象物Ｔではなく、対象物Ｔが撮像された際に背景となった部分であった場合には、ユーザは、色情報を取得しない旨を、画像補正サーバ４（４Ａ）に通知する。これにより、ユーザが本当に色を一致させたい箇所の色情報に基づいて画像を補正することができる。また、ユーザ端末装置２により推奨箇所に対応する箇所の色情報を取得しない旨が示された場合、画像補正サーバ４（４Ａ）は、画像の補正に必要な色情報が不十分と判断される場合には、推奨箇所を特定し直し、特定し直した推奨箇所を示す情報をユーザ端末装置２に送信するようにしてもよい。
【００９１】
また、上記した少なくとも一つの実施形態においては、ユーザ端末装置２（２Ａ、２Ｂ）には、画像共有アプリケーションがインストールされている例を示した。しかしながら、ユーザ端末装置２に画像共有アプリケーションがインストールされていなくともよい。例えば、ユーザ端末装置２に予め備わっている、あるいは後からインストールされたＷｅｂ（Ｗｏｒｌｄ  Ｗｉｄｅ  Ｗｅｂ）ブラウザから、画像補正サーバ４、あるいは他のサーバに備わっているＷｅｂアプリケーションにアクセスし、当該Ｗｅｂアプリケーション上で上記処理を行ってもよい。これにより、ユーザ端末装置２に画像共有アプリケーションをインストールする必要がなく、ユーザ端末装置２の負荷を低減させることができる。
【００９２】
また、上記した少なくとも一つの実施形態においては、画像補正システム１が、一つの画像補正サーバ４（４Ａ）を備えている例を示した。しかしながら、画像補正サーバ４（４Ａ）は複数であってもよい。例えば、画像補正サーバ４（４Ａ）は、ネットワーク上に設けられた複数のクラウドサーバを互いに連携させてもよい。これにより、画像補正システム１（１Ａ）の規模を拡大するには、クラウドサーバを増設すればよいため、システムの規模を容易に拡大することができる。また、ユーザ端末装置２から画像補正サーバ４（４Ａ）へのアクセスを複数のクラウドサーバに分散させることができ、１つの画像補正サーバ４（４Ａ）にアクセスが集中して機能不全に陥ることを防止することができる。
【００９３】
なお、本発明における画像補正システム１（１Ａ）の機能を実現するためのプログラムをコンピュータ読み取り可能な記録媒体に記録して、この記録媒体に記録されたプログラムをコンピュータシステムに読み込ませて実行することにより処理を行なってもよい。
なお、ここでいう「コンピュータシステム」とは、ＯＳや周辺機器等のハードウェアを含むものとする。
また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００９４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００９５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９６】
１、１Ａ…画像補正システム
２、２−１、２−２、２Ａ、２Ｂ…ユーザ端末装置
２３…色情報取得部
３、３−１、３−２…色測定器
４、４Ａ…画像補正サーバ
５…ネットワーク
４１０…撮像画像取得部
４１１、２７…推奨箇所位置特定部
４１２…推奨箇所色情報取得部
４１３…撮像画像補正部
４１４…補正撮像画像出力部
４１５、２８…基準色特定部
４１６…基準画像色情報取得部
４１７…表示画像補正部
【図１】
2019045680.tif 000003
【図２】
2019045680.tif 000004
【図３】
2019045680.tif 000005
【図４】
2019045680.tif 000006
【図５】
2019045680.tif 000007
【図６】
2019045680.tif 000008
【図７】
2019045680.tif 000009
【図８】
2019045680.tif 000010
【図９】
2019045680.tif 000011
【図１０】
2019045680.tif 000012
【図１１】
2019045680.tif 000013
【図１２】
2019045680.tif 000014